(57)【要約】  可燃性の冷媒が循環する冷凍サイクル装置１００において、凝縮器２から流量制御弁３に至る循環配管を流れる冷媒の一部が流量制御弁３および蒸発器４をバイパスするように接続されたバイパス配管５と、バイパス配管５を流れる冷媒の流量を制御するバイパス流量制御弁６と、バイパス流量制御弁６から流出してバイパス配管５を流れる冷媒と凝縮器２から流出して循環配管を流れる冷媒とを熱交換させる熱交換器７と、流量制御弁３の入口における冷媒の過冷却度を検出する過冷却度センサーＴ７３とを備え、流量制御弁３の入口における冷媒の過冷却度が所定の値以上になるように流量制御弁３またはバイパス流量制御弁６の少なくとも一方が制御される。
2009150761.tif 000002
【特許請求の範囲】
【請求項１】
可燃性冷媒を圧縮する圧縮機と、この圧縮機において圧縮された可燃性冷媒を凝縮させる凝縮器と、この凝縮器から吐出された可燃性冷媒を過冷却する熱交換器と、この熱交換器により過冷却された可燃性冷媒を膨張させる膨張弁と、この膨張弁において膨張した可燃性冷媒を蒸発させる蒸発器と、前記凝縮器と前記膨張弁との間の冷媒温度若しくは冷媒圧力に応じて前記熱交換器の熱交換量を制御する制御手段と、を備えた冷凍サイクル装置。
【請求項２】
可燃性冷媒の燃焼下限界により定められる被空調空間の許容冷媒量以下の冷媒が封入されていることを特徴とする請求項１記載の冷凍サイクル装置。
【請求項３】
可燃性冷媒の燃焼下限界により定められる冷凍サイクル装置の被冷凍空間の許容冷媒量以下の冷媒が封入されていることを特徴とする請求項１記載の冷凍サイクル装置。
【請求項４】
前記圧縮機の上流配管と前記熱交換器の下流配管とを接続するバイパス配管と、このバイパス配管に設けられ、前記下流配管を流れる可燃性冷媒の主流から分岐した副流を膨張させるバイパス膨張弁と、
前記膨張弁の入口側における可燃性冷媒の主流の過冷却度を検出する過冷却度検出部を備え、
前記熱交換器は前記バイパス配管のバイパス膨張弁下流側に熱的に接続され、
前記制御手段は、前記過冷却度検出部の検出結果に基づき、前記主流の過冷却度が所定の値以上になるように、前記膨張弁または前記バイパス膨張弁の少なくとも一方の開度を制御することを特徴とする請求項１乃至３のいずれか１項に記載の冷凍サイクル装置。
【請求項５】
前記圧縮機の上流配管と前記熱交換器の下流配管とを接続するバイパス配管と、このバイパス配管に設けられ、前記下流配管を流れる可燃性冷媒の主流から分岐した副流を膨張させるバイパス膨張弁と、を備え、
前記熱交換器は前記バイパス配管のバイパス膨張弁下流側に熱的に接続され、
前記制御手段は、前記主流に対して過冷却度制御を行い、前記副流に対して過熱度制御を行なうことを特徴とする請求項１乃至３のいずれか１項に記載の冷凍サイクル装置。
【請求項６】
前記制御手段は、前記主流の温度に基づき前記膨張弁の開度を制御し、前記副流の温度に基づき前記バイパス膨張弁の開度を制御することを特徴とする請求項５記載の冷凍サイクル装置。
【請求項７】
前記制御手段は、前記主流の過冷却度に基づき前記膨張弁の開度を制御し、前記副流の加熱度に基づき前記バイパス膨張弁の開度を制御することを特徴とする請求項５記載の冷凍サイクル装置。
【請求項８】
前記制御手段は、前記バイパス配管に流れる可燃性冷媒の流量を増大させ、前記熱交換器出口と前記膨張弁との間の可燃性冷媒の過冷却度を上昇させることを特徴とする請求項５記載の冷凍サイクル装置。
【請求項９】
前記蒸発器の上流側配管内の冷媒圧力を検知する蒸発器上流圧力センサーと、前記蒸発器の下流側配管内の冷媒圧力を検知する蒸発器下流圧力センサーと、前記バイパス配管内の前記熱交換器の下流における可燃性冷媒の過熱度を検知する過熱度検知部とを備え、
前記制御手段は、前記蒸発器上流圧力センサーの検知した圧力値と前記蒸発器下流圧力センサーの検知した圧力値とに応じて、前記バイパス配管内の可燃性冷媒の過熱度の制御目標値を設定する過熱度制御部を備え、前記過熱度検知部の検知した過熱度が前記過熱度制御部の設定した制御目標値になるように、前記バイパス流量制御弁を制御することを特徴とする請求項４記載の冷凍サイクル装置。
【請求項１０】
可燃性冷媒の種類または延長配管の長さの一方または両方に応じて、前記膨張弁の入口における可燃性冷媒の過冷却度の制御目標値を変更する過冷却度制御部を有することを特徴とする請求項１記載の冷凍サイクル装置。
【請求項１１】
前記制御手段は、前記バイパス膨張弁が、前記バイパス配管の入口における可燃性冷媒の圧力と前記バイパス配管の出口における可燃性冷媒の圧力との圧力差、または前記蒸発器の入口における可燃性冷媒の圧力と前記蒸発器の出口における可燃性冷媒の圧力との圧力差の一方または両方が大きいほど、
前記バイパス配管を流れる可燃性冷媒の流量を増加させるように前記バイパス配管を流れる可燃性冷媒の流量を制御することを特徴とする請求項４記載の冷凍サイクル装置。
【請求項１２】
前記熱交換器における前記副流の流れ方向と前記主流の流れ方向とが対向していることを特徴とする請求項４記載の冷凍サイクル装置。
【請求項１３】
前記バイパス配管の前記バイパス膨張弁の下流に可燃性冷媒を膨張させるキャピラリーチューブが配置され、前記熱交換器が前記キャピラリーチューブと前記凝縮器及び前記膨張弁を接続する接続配管の一部とによって構成され、
前記キャピラリーチューブを流れる可燃性冷媒の流れ方向と前記接続配管を流れる可燃性冷媒の流れ方向とが並行していることを特徴とする請求項４記載の冷凍サイクル装置。
【請求項１４】
前記バイパス配管の一部が、前記熱交換器の入口において複数の伝熱管に分岐され、
前記熱交換器の出口において前記複数の伝熱管が統合され、
前記複数の伝熱管のうち可燃性冷媒が通過する伝熱管を変更する分岐数可変部を有することを特徴とする請求項４記載の冷凍サイクル装置。
【請求項１５】
前記膨張弁と前記蒸発器との間に設置された気液分離器と、
該気液分離器によって分離された蒸気状の可燃性冷媒を前記圧縮機に流入させるガス配管と、
該ガス配管に設置され、可燃性冷媒の流量を制御するガス流量制御弁と、
を有することを特徴とする請求項４記載の冷凍サイクル装置。
【請求項１６】
前記ガス配管の前記ガス流量制御弁の上流における可燃性冷媒の圧力を検知するガス流量制御弁上流圧力センサーと、前記ガス配管の前記ガス流量制御弁の下流における可燃性冷媒の圧力を検知するガス流量制御弁下流圧力センサーと、を備え、
前記ガス流量制御弁上流圧力センサーの検知した圧力値と前記ガス流量制御弁下流圧力センサーの検知した圧力値とに応じて、前記ガス流量制御弁が制御されることを特徴とする請求項１５記載の冷凍サイクル装置。
【請求項１７】
可燃性冷媒又は有毒性冷媒を冷媒として用い、被冷却空間へ冷媒配管を露出させるとともに、前記被冷却空間に冷媒が漏洩し拡散したときの冷媒濃度が可燃濃度未満又は人体への有毒許容濃度以下となるように、冷媒の充填量が制限された冷凍サイクルの制御方法であって、
凝縮器で凝縮された冷媒の状態を検出する検出ステップと、
この検出ステップで検出された冷媒の状態に基づき、前記冷凍サイクル内の冷媒充填量に依存する凝縮圧力に起因して前記凝縮器出口側で気液二相状態となった冷媒を過冷却し、前記膨張弁手前での圧力脈動を抑制するステップと、
を備えた冷凍サイクルの制御方法。
【発明の詳細な説明】
【技術分野】
【０００１】
この発明は冷凍サイクル装置、特に、地球温暖化係数の小さい冷媒を使用する冷凍サイクル装置に関するものである。 
【背景技術】
【０００２】
従来の冷凍サイクル装置は、中温低圧の冷媒（以下、説明の便宜上「中温低圧」と称す）を圧縮する圧縮機と、圧縮された冷媒（以下、「高温高圧冷媒」と称す）を凝縮する凝縮器と、凝縮した冷媒（以下、「中温高圧冷媒」と称す）を膨張させる膨張弁と、膨張した冷媒（以下、「低温低圧冷媒」と称す）を蒸発させる蒸発器と、が順に冷媒配管によって接続されることによって形成されている（以下、かかる構成を「主回路」と称す）。このとき、負荷側における冷凍効果を増大させるため中温高圧冷媒を冷却して「過冷却（サブクール）」の状態にした後、膨張弁に供給させる発明が開示されている（例えば、特許文献１参照）。【０００３】
一方、従来の冷凍サイクル装置は、Ｒ４１０Ａなどの不燃性のＨＦＣ（ハイドロフルオロカーバン）冷媒を利用しているため、冷媒の温室効果が二酸化炭素の２０００倍程度と大きく、冷凍サイクルの廃棄時や補修時等に冷媒が誤って漏洩してしまうと、長期間分解されずに大気中に漂うため地球温暖化を加速することが指摘されている。【０００４】
【特許文献１】特開平６−３３１２２３号公報（第３−４頁、図１）
【発明の開示】
【発明が解決しようとする課題】
【０００５】
特許文献１に開示された発明は、膨張弁および蒸発器をバイパスするバイパス配管（膨張弁の上流と圧縮機の上流とを直結するショートカット配管に同じ）を設けると共に、該バイパス配管にバイパスの膨張弁を設け、該バイパスの膨張弁を通過した後の低温低圧の冷媒と、膨張弁に直接流入する中温高圧冷媒との間で熱交換させ冷凍効果を増大せるものである。【０００６】
しかしながら、特許文献１に開示された冷凍サイクル装置では、冷凍効果を増大することはできても、冷媒の温室効果については一切考慮されていない。【０００７】
前述のように、ＨＦＣ冷媒は漏洩した場合、その化学的安定性から長期間大気中に分解されずに滞留し温室効果を発揮するという問題があり、地球環境を守る観点から、万が一大気中に放出されても比較的早く分解されるような地球温暖化係数（地球温暖化可能性に同じ、二酸化炭素の温室効果を基準にした温室効果の度合いを示す値、Ｇｌｏｂａｌ  Ｗａｒｍｉｎｇ  Ｐｏｔｅｎｔｉａｌ（以下、「ＧＷＰ」と称す））の値が小さい冷媒を使用することが望ましい。一方で、大気中での分解速度が速いということは、大気中の酸素と反応し分解しやすいという側面を持ち、その性質上、可燃性があるという問題がある。
可燃性の冷媒を利用する場合、その可燃性の度合いに応じて、冷凍サイクル装置の空調面積や換気設備の仕様、あるいは換気設備の有無などの条件が定められている。たとえば、国際規格では設置上の制約がない場合、冷媒充填量（以下、「許容冷媒量」という）を、
許容冷媒量［ｋｇ］＝燃焼下限界［ｋｇ／ｍ3］×４［ｍ3］
以下にすることが定められている。
この許容冷媒量は、たとえば、強燃性のプロパン（地球温暖化係数がＲ４１０Ａの１／６００程度）では約１５０ｇ程度、弱燃性のジクロロメタンやテトラフルオロプロピレンでは約１２００ｇ程度である。【０００８】
このため、ＧＷＰの低い冷媒（以下、「低ＧＷＰ冷媒」と称す）は、冷媒の使用量が極めて少ない家庭用冷蔵庫のような用途に限定されている。燃焼下限界が低い値である可燃性冷媒の場合、室内機が設置された被空調空間やショーケースなどの冷凍装置が設置された屋内空間に万が一、可燃性冷媒が漏洩した場合を想定すると、要求される冷凍能力を発揮するために本来必要な量の冷媒を封入することはできず、従来のＨＦＣ冷媒よりも冷凍サイクル装置内の冷媒量が不足してしまう。すると、凝縮器の出口で過冷却状態とならず、気液二相状態のまま膨張弁に流入し、膨張弁のノド部をガスと液が時間的に不均一な割合で流動することによる膨張弁の出入口圧力差の変動が発生し、冷凍サイクル装置の運転が不安定になるという問題点がある（問題点１）。【０００９】
また、低ＧＷＰ冷媒は、気体密度が小さく液相と気相との密度差（以下、「ガス密度差」と称す）が大きい場合、気液二相状態で流入し液が蒸発して空気や水などを冷却する蒸発器においては所定の熱交換効率を保証しようとすると、蒸発器内の気液二相状態の冷媒の流速が増大し、蒸発器内の冷媒の圧力損失の増加による性能の低下を引き起こす効率の低下を抑制するの入口における液圧力と蒸発器の出口における気体圧力との「圧力差」を所定の値に設定する必要があるという問題がある（問題点２）。【００１０】
この発明は、上記のような問題点１又は問題点２を解決するためになされたものであって、冷媒漏洩などによる温室効果を小さくすることができると共に、凝縮器の出口の冷媒が気液二相状態になるような運転においても、膨張弁の入口の冷媒を過冷却状態にするための安定した冷媒の流量制御を行なうことができ冷凍サイクル装置、並びにその制御方法を提供することを目的とする。
また、蒸発器における圧力損失の増大を防止できる入口における液圧力と蒸発器の出口における気体圧力との「蒸発器圧力差」を最適な値にすることができる冷凍サイクル装置、並びにその制御方法を提供することを目的とする。
【課題を解決するための手段】
【００１１】
この発明に係る冷凍サイクル装置は、可燃性冷媒を圧縮する圧縮機と、この圧縮機において圧縮された可燃性冷媒を凝縮させる凝縮器と、この凝縮器から吐出された可燃性冷媒を過冷却する熱交換器と、この熱交換器により過冷却された可燃性冷媒を膨張させる膨張弁と、この膨張弁において膨張した可燃性冷媒を蒸発させる蒸発器と、凝縮器と膨張弁との間の冷媒温度若しくは冷媒圧力に応じて熱交換器の熱交換量を制御する制御手段と、を備えたものである。
また、この発明に係る制御方法は、可燃性冷媒又は有毒性冷媒を冷媒として用い、被冷却空間へ冷媒配管を露出させるとともに、被冷却空間に冷媒が漏洩し拡散したときの冷媒濃度が可燃濃度未満又は人体への有毒許容濃度以下となるように、冷媒の充填量が制限された冷凍サイクルの制御方法であって、凝縮器で凝縮された冷媒の状態を検出する検出ステップと、この検出ステップで検出された冷媒の状態に基づき、冷凍サイクル内の冷媒充填量に依存する凝縮圧力に起因して凝縮器出口側で気液二相状態となった冷媒を過冷却し、膨張弁手前での圧力脈動を抑制するステップと、を備えたものである。
【発明の効果】
【００１２】
したがって、この発明に係る冷凍サイクル装置は、冷媒の可燃性に起因する冷媒充填量の制約があって、凝縮器の放熱量が下がるような運転においても、膨張弁の上流側における冷媒を過冷却状態にすることができるため、冷凍サイクル装置を安定に運転することができる。
また、バイパス配管と過熱度制御部を設けることにより、蒸発器における圧力損失の増大を防止できる。
【図面の簡単な説明】
【００１３】
【図１】本発明の実施形態１に係る冷凍サイクル装置の構成を説明する冷媒回路図。
【図２】本発明の実施形態２に係る冷凍サイクル装置の制御方法を説明するものであって、制御手段の過冷却度制御及び過熱度制御を示すフローチャート。
【図３】本発明の実施形態１に係る冷凍サイクル装置における運転動作を説明する冷媒流れを表す冷媒回路図。
【図４】本発明の実施形態１に係る冷凍サイクル装置における運転動作を説明する冷媒の変遷を表すｐ−ｈ線図（モリエル線図）。
【図５】本発明の実施形態３に係る冷凍サイクル装置の構成を説明する冷媒回路図。
【図６】本発明の実施形態３に係る冷凍サイクル装置における運転動作を説明する冷媒流れを表す冷媒回路図。
【図７】本発明の実施形態３に係る冷凍サイクル装置における運転動作を説明する冷媒の変遷を表すｐ−ｈ線図（モリエル線図）。
【図８】本発明の実施形態４に係る冷凍サイクル装置の構成を説明する冷媒回路図。
【図９】本発明の実施形態１に係る冷凍サイクル装置の熱交換器の流れ方向の長さと冷媒の温度との関係を説明する模式図。
【図１０】本発明の実施形態１に係る冷凍サイクル装置の熱交換器の流れ方向の長さと冷媒の温度との関係を説明する模式図。
【図１１】本発明の実施形態１に係る冷凍サイクル装置の熱交換器内における冷媒の流路の一例を示す冷媒回路図。
【図１２】本発明の実施形態１に係る冷凍サイクル装置の蒸発器へ流入する冷媒の流量と冷凍サイクル装置の成績係数との関係を示すグラフ。
【符号の説明】
【００１４】
１：圧縮機、２：凝縮器、３：膨張弁、４：蒸発器、５：バイパス配管、５ａ：伝熱管、５ｂ：伝熱管、５ｃ：伝熱管、５ｄ：伝熱管、５ｅ：開閉弁、５ｆ：開閉弁、５ｇ：伝熱管、５ｈ：伝熱管、６：バイパス膨張弁、７：熱交換器、８：気液分離器、９：ガス流量制御弁、１０：ガス配管、１１：過熱度制御部、１２：高温高圧配管、２３：中温高圧配管、３４：低温低圧配管、４１：中温低圧配管、１００：冷凍サイクル装置（実施の形態１）、２００：冷凍サイクル装置（実施の形態３）、３００：冷凍サイクル装置（実施の形態４）、Ｐ３４：蒸発器入口圧力センサー、Ｐ４１：蒸発器出口圧力センサー、Ｐ８９：ガス流量制御弁入口圧力センサー、Ｐ９１：ガス流量制御弁出口圧力センサー、Ｔ７１：過熱度センサー、Ｔ７３：過冷却度センサー。
【発明を実施するための最良の形態】
【００１５】
［実施の形態１］
（冷凍サイクル）
図１は本発明の実施形態１に係る冷凍サイクル装置の構成を説明する冷媒回路図である。図１において、冷凍サイクル装置１００は、冷媒を圧縮する圧縮機１と、圧縮された冷媒を凝縮する凝縮器２と、凝縮した冷媒を膨張させる膨張弁（電子膨張弁などの流量制御弁、キャピラリーチューブ等）３と、膨張した冷媒を蒸発させる蒸発器４と、圧縮機１と凝縮器２とを連結する高温高圧配管１２と、凝縮器２と膨張弁３とを連結する中温高圧配管２３と、膨張弁３と蒸発器４とを連結する低温低圧配管３４と、蒸発器４と圧縮機１とを連結する中温低圧配管４１と、を具備する主回路を有している。【００１６】
また、前記主回路に追加して、膨張弁３および蒸発器４をバイパスする（凝縮器２の下流と圧縮機１の上流とを直結するに同じ）、すなわち、中温高圧配管２３と中温低圧配管４１とを連結するバイパス配管５と、バイパス配管５に設置されたバイパス膨張弁（電子膨張弁などの流量制御弁、キャピラリーチューブ等）６と、を具備するバイパス回路（正確には回路を構成する一部であるが、説明の便宜上「回路」と称す）を有している。
なお、本説明において、高温高圧配管や低温低圧冷媒等を修飾する「高温、中温、低温」や「高圧、低圧」は説明の便宜上用いるものであって、それぞれが所定の絶対的な値によって区分けされるものではない。また、高温高圧配管１２における圧力と中温高圧配管２３における圧力とは同一あるいは相違するものであって、中温高圧配管２３における温度と中温低圧配管４１における温度とは同一あるいは相違するものである。また、高温高圧配管１２等の主回路を構成する配管を、まとめてあるいはそれぞれを「循環配管」と称す。【００１７】
図１に示される冷凍サイクルは、家庭用空気調和機、複数の室内機を有する業務用空気調和機、ショーケースや冷蔵施設に設置される冷凍装置等に使用される。蒸発器４を有する負荷側装置は、被空調空間、若しくは、被冷却空間である屋内設置空間に設けられ、蒸発器４及びその接続配管は、被冷却空間にグリル等を介して露出している。圧縮機１、凝縮器２、膨張弁３、バイパス配管５等を有する熱源側装置は、典型的には屋外に設置され、負荷側装置と熱源側装置とは、設置条件に合わせた長短いろいろの配管によって接続されている。なお、膨張弁３は、熱源側装置ではなく負荷側装置に設けることも可能である。
このような冷凍サイクル装置において、万が一冷媒漏洩し被冷却空間内に拡散した場合の安全性を考慮し、冷媒充填量を設計すると、被空調空間若しくは被冷凍空間の容積と使用する冷媒の燃焼下限界（燃焼下限濃度）又は人体に与える影響を考慮した毒性濃度許容値とを乗算した値が許容冷媒量となる。さらに、安全度の高い設計では、局所的に冷媒が溜まることを考慮し、想定容積を被空調空間の容積以下の４［ｍ3］にする場合もある。従って、冷凍サイクル装置に充填できる冷媒量は制約があり、従来の冷凍サイクル装置では、十分な冷媒充填量を確保できず、凝縮器出口から気液二相の冷媒が流れるという状態になりやすい。【００１８】
（熱交換器）
さらに、中温高圧配管２３を流れる中温高圧冷媒と、バイパス配管５のバイパス膨張弁６の下流を流れる冷媒（以下「バイパス低温低圧冷媒」と称す場合がある）との間で熱交換するための熱交換器７が、設けられている。【００１９】
（制御手段）
また、主回路において、膨張弁３の上流（中温高圧配管２３の熱交換器７の下流）には過冷却度センサーＴ７３（過冷却度検出部）が設けられている。過冷却度センサーＴ７３は、中温中圧配管２３を流れる冷媒（主流）の過冷却度を測定できるものであればどのようなものを用いても構わないが、例えば、中温中圧配管２３内の冷媒圧力を検知する圧力センサーと冷媒温度を検知する温度センサーとを用いて構成することができる。過冷却度制御部１１ａは、過冷却度センサーＴ７３の検出値から、膨張弁３の開度を制御するなどして膨張弁３の上流の過冷却度を制御する。
蒸発器４の上流（低温低圧配管３４の膨張弁３の下流）には蒸発器入口圧力センサーＰ３４が、蒸発器４の下流（中温低圧配管４１の圧縮機１の上流）には蒸発器出口圧力センサーＰ４１が、それぞれ設置されている。【００２０】
また、バイパス配管５には、熱交換器７の下流（主回路との合流点の上流）に過熱度センサーＴ７１が設置されている。過熱度センサーＴ７１（過熱度検出部）は、バイパス配管５を流れる冷媒（副流）の過熱度を検出できるものであれば、どのようなものを用いても良いが、例えば、熱交換器７の出口側バイパス配管５に冷媒温度を検知する温度センサーと冷媒圧力を測定する圧力センサーとを備え、これらの検出値から過熱度を測定する。過熱度制御部１１ｂは、過熱度センサーＴ７１の検出値から、バイパス膨張弁６の開度を調整する等してバイパス配管５の過熱度を制御する。
なお、過冷却度制御部１１ａと過熱度制御部１１ｂは、冷凍サイクル装置を制御する制御手段の一部であり、それぞれ装置として別体である必要はなく、１つの制御装置(マイクロコンピュータとソフトウェア群)にまとめることができる。【００２１】
（冷媒）
冷凍サイクル装置１００に使用される冷媒は、地球温暖化係数の小さい冷媒であって、ＨＦＣ冷媒よりも温室効果が小さい可燃性の冷媒、たとえば、プロパン、ジクロロメタン、クロロメタン、ジフルオロエタンやテトラフルオロプロピレンなどを主成分とする冷媒である。なお、前記「テトラフルオロプロピレン」とは、各種異性体を含む全てのテトラフルオロプロピレンを指すものである。【００２２】
［実施の形態２：制御方法］
次に、実施形態１に示す冷凍サイクル装置の制御手段による膨張弁３およびバイパス膨張弁６の制御について、図２に基づき説明する。
図２は本発明の実施形態２に係る冷凍サイクル装置の制御方法を説明するものであって、制御手段の過冷却度制御及び過熱度制御を示すフローチャートである。
図２において、まず、過冷却度制御部１１ａと過熱度制御部１１ｂは、それぞれ過冷却度目標値ＳＣｏ、過熱度目標値ＳＨｏに初期値（例えば、ＳＣｏ＝５℃，ＳＨｏ＝２℃）を設定する（Ｓ１）。この初期値は、設置条件や冷凍装置のタイプにより適切に調整される値（０以上の正値）であり予め不揮発メモリ等に記憶されているものである。また、過熱度制御部１１ｂは、蒸発器圧力差目標値ΔＰｏを、冷凍サイクル装置のシステム仕様に適した値、すなわち、特に蒸発器の冷凍能力に応じ性能が(最も)高くなる値に設定する。【００２３】
（過冷却度制御）
次に、過冷却度制御部１１ａは、以下に説明する過冷却度制御を行う。過冷却度制御部１１ａは、熱交換器７から膨張弁３に至る経路（中温高圧配管２３のバイパス配管５の分岐点よりも下流）に設置した過冷却度センサーＴ７３の温度センサーと圧力センサーから凝縮器出口温度Ｔｈと凝縮器温度出口圧力Ｐｃの検出値を冷媒状態の情報として取得する（Ｓ２）。過冷却度制御部１１ａは、取得した凝縮器温度出口圧力Ｐｃに基づき、凝縮出口飽和温度Ｔｃｓを算出し（Ｓ３）、この値と凝縮器出口温度Ｔｈから過冷却度ＳＣ（＝Ｔｃｓ−Ｔｈ）を求める（Ｓ４）。なお、凝縮出口飽和温度Ｔｃｓは、図４に示すようなｐ−ｈ線図から飽和液線に相当するポイントをＴｈ,Ｐｃをパラメータとするテーブルに予め記憶しておいてもよいし、所定のアルゴリズム(計算式)にＴｈ,Ｐｃを代入することにより求めてもよい。また、凝縮器出口飽和温度Ｔｃｓは、凝縮器２内の気液二相部の温度から飽和温度Ｔｃを求めることにより特定するようにしてもよい。【００２４】
次に、過冷却度制御部１１ａは、検出した過冷却度ＳＣと過冷却度目標値ＳＣｏとの差に基づき、冷媒の過冷却度を制御する（Ｓ５〜７）。具体的には、過冷却度ＳＣの目標値との差ΔＳＣ（＝ＳＣ−ＳＣｏ）を算出し（Ｓ５）、過冷却度ＳＣが目標値より低い場合（例えば、ΔＳＣ≦−１℃）には、過冷却度制御部１１ａは、膨張弁３の開度を減少させ、現在の開度から若干小さい開度に調整する（Ｓ６）。逆に、過冷却度ＳＣが目標値より高い場合（例えば、ΔＳＣ≧１℃）には、過冷却度制御部１１ａは、膨張弁３の開度を増加させる（Ｓ７）。一方、過冷却度ＳＣが目標値に近い場合には、そのまま次の過熱度制御に移行する。【００２５】
以上の過冷却度制御により、過冷却度制御部１１ａは、過冷却度が所定の値より小さいときは、膨張弁３の開度を絞り、膨張弁の出入口の圧力差が増加して、凝縮器出口圧力Ｐｃが上昇する。すると、凝縮器２と熱交換器における冷媒と被加熱媒体との温度差が大きくなり、凝縮器２と熱交換器７とにおいて、中温高圧冷媒の温度低下とともに、熱交換器７における冷熱の受け渡し量が増し、中温高圧冷媒の温度は下がり過冷却度が上昇する。一方、前記過冷却度が所定の値より大きいときは、これと反対の動作を行い、中温高圧冷媒の過冷却度が下がる。このように、冷凍サイクル内の冷媒充填量の不足などによって凝縮器出口側で気液二相状態となった冷媒を過冷却するため、膨張弁３を冷媒が通過する際に気相と液相とを交互に繰り返すことにより発生する圧力脈動を効果的に抑制できる。【００２６】
（過熱度制御）
次に、制御手段は、以下に説明するような過熱度制御部１１ｂによる過熱度制御を行う。過熱度制御部１１ｂは、過熱度センサーＴ７１の温度センサー及び圧力センサーから熱交換器７の低圧側の出口温度Ｔｌと出口圧力Ｐｌの検出値を冷媒状態の情報として取得する（Ｓ８）。続いて、過熱度制御部１１ｂは、熱交換器の低圧側の出口圧力Ｐｌから熱交換器７の低圧側出口飽和温度Ｔｌｓを取得し（Ｓ９）、熱交換器７の低圧側出口過熱度ＳＨ（ＳＨ＝Ｔｌｓ−Ｔｌ）を検出する（Ｓ１０）。ここで、飽和温度Ｔｌｓの算出は、凝縮器飽和温度Ｔｃｓと同様にＴｌ，Ｐｌからｐ−ｈ線図に基づき特定するか、所定の算出アルゴリズムにより算出することができる。【００２７】
次に、過熱度制御部１１ｂは、検出した過熱度ＳＨと過熱度目標値ＳＨｏとの差に基づき、冷媒の過熱度を制御する（Ｓ１１〜１３）。具体的には、過熱度ＳＨの目標値との差ΔＳＨ（＝ＳＨ−ＳＨｏ）を検出し（Ｓ１１）、過熱度ＳＨが目標値より低い場合（例えば、ΔＳＨ≦−１℃）には、過熱度制御部１１ｂは、バイパス膨張弁６の開度を減少させ、現在の開度から若干小さい開度に調整する（Ｓ１２）。逆に、過熱度ＳＨが目標値より高い場合（例えば、ΔＳＨ≧１℃）には、過熱度制御部１１ｂは、バイパス膨張弁６の開度を増加させる（Ｓ１３）。一方、過熱度ＳＨが目標値に近い場合には、そのまま次の過熱度目標値制御に移行する。
以上のような過熱度制御を行うことにより、圧縮機１に液冷媒が戻ることを抑制し、さらに以下に説明するような過熱度目標の調整を行なうことにより、蒸発器４や延長配管で生じる圧力損失の問題を低減することができる。【００２８】
（過熱度目標値制御）
続いて、過熱度目標値制御について説明する。制御手段は、過熱度制御に続き、圧力損失を軽減するための過熱度目標値制御を行なう。まず、過熱度制御部１１ｂは、蒸発器４に至る経路（低温低圧配管３４）に設置された蒸発器入口圧力センサーＰ３４から蒸発器入口圧力（Ｐｅｉｎ）を、蒸発器４から圧縮機１に至る経路（中温低圧配管４１）に設置された蒸発器出口圧力センサーＰ４１から蒸発器出口圧力（Ｐｅｏｕｔ）の検出値を取得する（Ｓ１４）。なお、蒸発器の入口温度から飽和圧力を算出する方法で取得してもよい。
そして、これらの検出値から蒸発器圧力差ΔＰｅ（ΔＰｅ＝Ｐｅｉｎ−Ｐｅｏｕｔ）を検出し（Ｓ１５）、この蒸発圧力差ΔＰｅが蒸発器圧力差目標値ΔＰｏに近づくように、過熱度目標値を調整する。すなわち、過熱度制御部１１ｂは、蒸発圧力差ΔＰの目標値との差Δ（ΔＰ）＝ΔＰｅ−ΔＰｏを判断し（Ｓ１６）、差Δ（ΔＰ）が所定の値より小さいとき（Δ（ΔＰ）≦−０．０１Ｍｐａ）、過熱度目標値ＳＨｏを所定値分（例えば、１℃）増加させる（Ｓ１７）。また、差Δ（ΔＰ）が所定の値より大きいとき（ΔＰ≧０．０１Ｍｐａ）、過熱度制御部１１ｂは過熱度目標値ＳＨｏを所定値分（例えば、１℃）減少させ、目標値に近いときは、現在の過熱度目標値ＳＨｏを維持して過熱度目標値制御を終了する。【００２９】
過熱度目標値制御が終了すると、制御手段は図示しない運転スイッチやネットワークを通じた運転停止指令の有無から、運転を停止するかを判断し（Ｓ１９）、停止しない場合には、ステップＳ２に戻り、上述の過冷却制御、過熱度制御、及び過熱度目標制御を繰り返す。
この過熱度目標制御によれば、蒸発器圧力差ΔＰが目標値より大きくなると、過熱度目標値ＳＨｏがより小さく設定され、過熱度制御で制御されるバイパス膨張弁６の開度が大きくなるため、バイパス配管５を流れる冷媒量が増し、その分だけ主回路を流れる冷媒（膨張弁３を通過した低温低圧冷媒）の量が減少する。その結果、蒸発器入口圧力Ｐｅｉｎが下がり、圧力損失を低減できる。【００３０】
なお、上述の説明では、過熱度目標値ＳＨｏの調整幅は固定値で、状況をみながら序々に調整する方法をとったが、蒸発器入口圧力（Ｐｅ）と蒸発器出口圧力（Ｐａ）との差である蒸発器圧力差（ΔＰ＝Ｐｅｉｎ−Ｐｅｏｕｔ）が大きいほど、過熱度目標値ＳＨｏをより小さく設定し（すなわち、調整幅を大きくし）、過熱度制御で制御されるバイパス膨張弁６の開度を大きくするようにしてもよい。また、蒸発器圧力差（ΔＰ）が小さい場合には、過熱度目標値ＳＨｏは現在の過熱度よりも大きく設定され、バイパス膨張弁６の開度を絞って余分な冷媒の流れを抑制する。【００３１】
（運転動作）
次に、実施の形態１に示す冷凍サイクル装置１００の運転動作を説明する。
図３および図４は、本発明の実施形態１に係る冷凍サイクル装置における運転動作を説明するものであり、図３は冷媒の流れを表す冷媒回路図、図４は冷媒の変遷を表すｐ−ｈ線図（モリエル線図）である。なお、図１〜図４における部分と同じ部分にはこれと同じ符号を付し、一部の説明を省略するとともに、図４に示すａ〜ｆの冷媒状態は、それぞれ図３にａ〜ｆで示す箇所における冷媒状態を示している。【００３２】
（圧縮動作）
まず、中温低圧の蒸気状冷媒が圧縮機１によって圧縮され、高温高圧の蒸気状冷媒となって吐出される。この圧縮機１の冷媒圧縮過程は、周囲との熱の出入はないものとすると、図４の状態ａから状態ｂに示す等エントロピ線で表される。【００３３】
（凝縮動作）
圧縮機から吐出された高温高圧冷媒は、凝縮器２に流入し、空気や水に放熱しながら凝縮し、気液二相状態の中温高圧冷媒となる。凝縮器における冷媒の変化は、ほぼ圧力一定のもとで行われる。このときの冷媒変化は、凝縮器における配管抵抗による圧力損失を考慮すると、図４の状態ｂから状態ｃに示すやや傾いた水平に近い直線で表される。【００３４】
（過冷却動作）
凝縮器２から出た気液二相状態の中温高圧冷媒は、熱交換器７に流入し、バイパス配管５を流れる低温低圧の冷媒と熱交換（バイパス膨張弁６において膨張した冷媒からの冷熱の受け取り）をしながら、さらに凝縮し、液状の中温高圧冷媒になる。このとき、熱交換器７における中温高圧冷媒の変化は、ほぼ圧力一定のもとで行なわれる。この冷媒の変化は、熱交換器７の圧力損失を考慮すると、図４の状態ｃから状態ｄに示すやや傾いた水平に近い直線で表される。【００３５】
（膨張動作）
この液状の中温高圧冷媒の一部は、バイパス配管５に流入しバイパス膨張弁６において絞られて膨張（減圧）し、低温低圧の気液二相状態になる。バイパス膨張弁６における冷媒変化は、エンタルピ一定のもとで行われる。このときの冷媒変化は、図４の状態ｄから状態ｆに示す垂直線で表される。
一方、熱交換器７を出た液状の中温高圧冷媒のうちバイパス配管５に流入しないものは、膨張弁３において絞られて膨張（減圧）し、低温低圧の気液二相状態になる。膨張弁３における冷媒変化は、エンタルピ一定のもとで行われる。このときの冷媒変化は、図４の状態ｄから状態ｅに示す垂直線で表される。【００３６】
（蒸発動作）
バイパス膨張弁６を出た気液二相状態の低温低圧冷媒は、熱交換器７に流入し、凝縮器２から出た中温高圧冷媒と熱交換しながら、冷熱を奪われて蒸気状の中温低圧冷媒となる。熱交換器７における低温低圧冷媒の変化は、ほぼ圧力一定のもとで行われる。このときの冷媒変化は、熱交換器７の圧力損失を考慮すると、図４の状態ｆから状態ａに示すやや傾いた水平に近い直線で表される。
一方、膨張弁３を出た気液二相状態の低温低圧冷媒は、蒸発器４に流入し、空気などと熱交換しながら蒸発してガス化し、蒸気状の中温低圧冷媒となる。蒸発器４における冷媒の変化は、ほぼ圧力一定のもとで行なわれる。このときの冷媒の変化は、蒸発器４の圧力損失を考慮すると、図４の状態ｅから状態ａに示すやや傾いた水平に近い直線で表される。【００３７】
（圧力低下）
蒸発器４から出た蒸気状の中温低圧冷媒は、バイパス配管５から出た蒸気状冷媒と混合して圧縮機１に流入し、圧縮される。
なお、圧縮機１に流入する直前の蒸気状の中温低圧冷媒は、中温低圧配管４１を通るため、蒸発器４を出た直後の中温低圧冷媒に比べて若干圧力が低下するが、図４では同じ状態ａで表している。同様に、膨張弁３に流入する直前の液状の中温高圧冷媒は、中温高圧配管２３の熱交換器７と膨張弁３との間を通る間に僅かに放熱するため、熱交換器７から出た直後の中温高圧液状に比べて若干圧力が低下するが、図４では同じ状態ｃで表している。
このような配管通過に起因する冷媒の圧力低下などによる圧力損失は、以下の実施の形態についても同様であるので、必要な場合を除いて説明を省略する。【００３８】
（流量制御）
前記のように、冷凍サイクル装置に使用する低ＧＷＰ冷媒が可燃性または弱燃性の性質を有する場合、許容冷媒量が抑えられて凝縮器２の熱交換量（配管長さ等）が小さいことから、凝縮器２の出口の中温高圧冷媒が気液二相状態になってしまう可能性がある。
しかしながら、前記構成の冷凍サイクル装置１００においては、凝縮器２の出口の中温高圧冷媒が気液二相状態になるような運転においても、膨張弁３およびバイパス膨張弁６の入口における中温高圧冷媒が、過冷却状態になるように制御することが可能であるから、安定した冷媒の流量制御（膨張）を行なうことができる。【００３９】
これは、高温高圧冷媒と空気等との熱交換をする凝縮器２と、中温高圧冷媒と低温低圧冷媒との熱交換をする熱交換器７とにおける、単位冷媒量あたりの熱交換能力の差に起因している。たとえば、夏季の運転の場合、凝縮器２における高温高圧冷媒と空気との温度差は、おおよそ５〜１５℃程度、それに対して、熱交換器７における中温高圧冷媒と低温低圧冷媒との温度差はおおよそ３０〜４０℃程度である。したがって、単位面積あたりの熱交換量は熱交換器７の方が２〜８倍程度大きいから、より少ない冷媒量で大きな熱交換を行なうことができ、短い配管でありながら中温高圧冷媒の過冷却度を大きくすることができる。【００４０】
また、冷媒の膨張弁３、７の通過が気相と液相を繰り返すと、気相と液相におけるオリフィス等の通過抵抗の違いから、圧力脈動が発生してしまう。この圧力脈動は、冷媒流動音の増大や圧力損失増加による冷凍サイクル装置の性能低下を引き起こすとともに、脈動が大きい場合には、圧縮機１、凝縮器２、膨張弁３、熱交換器７、それらの接続配管や接続部に断続的に負荷を掛け、この圧力脈動に起因する接続部の疲労等から冷媒が漏洩することが懸念される。可燃性や毒性を有する冷媒を作動冷媒として使用する場合、冷媒漏洩の対策は非常に重要であり、これらの部品の耐久度を高める必要があるが、この実施形態の過冷却制御により、膨張弁３、７での圧力脈動を抑制し、冷媒漏洩の危険性を効果的に低減でき、また、配管接続部等の耐久仕様を高い安全率を見越して過度にする必要がなくなる。【００４１】
また、この実施形態によれば、蒸発器圧力差（ΔＰ、蒸発器４の出入口の圧力差）の増大を抑制することができる。
さらに、蒸発器４の流量が低下した場合には、バイパス配管５を流れる冷媒の流量を小さくすることができ、蒸発器４の熱交換性能の低下を抑制することができるから、効率よく冷凍サイクル装置１００を運転することができる効果も得られる。【００４２】
また、過熱度の目標値は、実施の形態１のように蒸発器入口圧力センサーＰ３４および蒸発器出口圧力センサーＰ４１を用いた蒸発器圧力差（ΔＰ）に基づいて設定しているが、本発明はこれに限定するものではなく、たとえば、圧縮機１の周波数と圧縮機１の吸入圧力などに応じて設定しても同様の効果が得られる。
また、実施の形態１では、過冷却度センサーＴ７３と過熱度センサーＴ７１は、たとえば、凝縮器２内や熱交換器７内の飽和温度と出口の温度から過熱度を求めても同様の効果が得られる。【００４３】
なお、上述の実施の形態では、膨張弁３の開度を制御することにより過冷却度制御を行ったが、過冷却度制御はこの方法に限定されず、バイパス膨張弁６の開度調整や圧縮機１の回転周波数制御によって実施しても構わない。さらに、これらと凝縮器２のファンの回転数制御を組み合わせることも可能である。
また、過熱度制御は、バイパス膨張弁６の開度を調整する方法に限らず、膨張弁３の開度調整や圧縮機１の回転周波数制御によって実施しても構わない。さらに、これらと凝縮器２のファンの回転数制御を組み合わせることも可能である。
過冷却度制御を行う場合、過冷却度をバイパス膨張弁６等で制御し、膨張弁３にキャピラリチューブ等の絞り装置を使用することも可能である。また、膨張弁３として温度式膨張弁を使用し、この温度式膨張弁の上流側配管やその他の温度を感温筒により検知して、温度式膨張弁の開口部を物理的に駆動することも可能である。この場合、過冷却度制御は、温度式膨張弁と制御手段により開度を制御するバイパス膨張弁６との組合せにより行なう。【００４４】
また、逆にバイパス膨張弁６にキャピラリチューブ等の開度固定の絞り装置を使用し、膨張弁３で過冷却制御を行うことも可能であり、温度式膨張弁を使用してもよい。
膨張弁３、バイパス膨張弁６のどちらかの開度で、過冷却度制御及び過熱度制御を行う場合、圧力脈動抑制等を重視し過冷却制御を優先してもよいし、圧力損失低減を重視して過熱度制御を行なってもよい。
図２に示すフローチャートで説明した各設定値は一例であり、システムの仕様、想定する使用条件等により、適切な値を設定するとよい。
また、蒸発器圧力差目標値ΔＰｏは固定値ではなく、現在の蒸発器４の冷凍能力に応じた値を圧縮機周波数及び蒸発器風量（ファン回転数）から動的に計算するとさらに良い。この場合、過熱度制御部１１ｂは図１ａのＳ１６の前において、現在の冷凍能力にあった蒸発器圧力差目標値ΔＰｏを設定する。【００４５】
［実施の形態３］
（冷凍サイクル）
図５は本発明の実施形態３に係る冷凍サイクル装置の構成を説明する冷媒回路図である。図５において、冷凍サイクル装置２００は、 冷凍サイクル装置１００（実施の形態１）における低温低圧配管３４に気液分離器８を追加して設けると共に、気液分離器８において分離されたガス（蒸気）を圧縮機１に供給する配管（以下、「ガス配管」と称す）１０を設けたものである。
そして、ガス配管１０の途中に流量制御弁（以下、「ガス流量制御弁」と称す）９が設けられ、ガス流量制御弁９の上流側にガス流量制御弁入口圧力センサーＰ８９と、ガス流量制御弁９の下流側にガス流量制御弁出口圧力センサーＰ９１と、がそれぞれ設置されている。
なお、前記を除くその他の構成については、冷凍サイクル装置１００（実施の形態１）と同じであるから、同じ符号を付し、説明を省略する。【００４６】
（バイパス配管）
すなわち、膨張弁３および蒸発器４をバイパスするバイパス配管５にバイパス膨張弁６が設置され、バイパス配管５の一部はバイパス膨張弁６の下流において熱交換器７を形成し、バイパス配管５の熱交換器７の下流に過熱度センサーＴ７１が設置されている。これらを具備するバイパス配管５は、冷凍サイクル装置１００のバイパス配管５に同じである。【００４７】
（ガス配管）
気液分離器８は、膨張弁３から流出した低温低圧冷媒を、蒸気と液とに分離するものであって、分離された蒸気をガス配管１０に、分離された液を低温低圧配管３４を経由して蒸発器４に送るものである。
ガス配管１０には、その途中にガス流量制御弁９が設置されている。そして、上流側のガス流量制御弁入口圧力センサーＰ８９は、気液分離器８において分離された蒸気の圧力を検出し、下流側のガス流量制御弁出口圧力センサーＰ９１は、ガス流量制御弁９において膨張した冷媒の圧力を検出する。【００４８】
（制御要領）
次に、膨張弁３、バイパス膨張弁６、およびガス流量制御弁９の動作について説明する。
膨張弁３は、熱交換器７から膨張弁３に至る経路（中温高圧配管２３の一部）の熱交換器７の下流に設置された過冷却度センサーＴ７３によって検出された中温高圧冷媒の過冷却度が所定の値以上になるように制御する。すなわち、前記過冷却度が所定の値より小さいときは、膨張弁３の開度を絞り、反対に、大きいときは開度を開く。【００４９】
また、バイパス膨張弁６は、過熱度センサーＴ７１で検知するバイパス配管５の熱交換器７の下流における低温低圧冷媒の過熱度に応じて制御する。過熱度が小さいほど、バイパス膨張弁６の開度を絞り、反対に、大きいほど開度を大きくする。【００５０】
また、ガス流量制御弁９は、ガス流量制御弁９の前後（出入口）にそれぞれ設置したガス流量制御弁入口圧力センサーＰ８９の検出した圧力値（ｐ１）およびガス流量制御弁出口圧力センサーＰ９１の検出した圧力値（ｐ２）に応じて制御する。
すなわち、両者の圧力差（以下、便宜上「ガス流量制御弁圧力差」と称す）Δｐを演算にて求め、ガス流量制御弁圧力差（Δｐ＝ｐ１−ｐ２）が大きいほど、ガス流量制御弁９の開度を開き、反対に、圧力差が小さいほど開度を絞る。【００５１】
（運転動作）
次に、冷凍サイクル装置２００の運転動作を説明する。
図６および図７は、本発明の実施形態３に係る冷凍サイクル装置における運転動作を説明するものであって、図６は冷媒流れを表す冷媒回路図、図７は冷媒の変遷を表すｐ−ｈ線図（モリエル線図）である。なお、図５における部分と同じ部分にはこれと同じ符号を付し、一部の説明を省略するとともに、図７に示すａ〜ｈの冷媒状態は、それぞれ図６にａ〜ｈで示す箇所における冷媒状態である。【００５２】
（圧縮動作）
まず、蒸気状の中温低圧冷媒が圧縮機１において圧縮され、高温高圧冷媒となって吐出される。圧縮機１における冷媒圧縮過程は、周囲との熱の出入はないものとすると、図７の状態ａから状態ｂに示す等エントロピ線で表される。【００５３】
（凝縮動作）
圧縮機１から吐出された高温高圧冷媒は、凝縮器２に流入し、空気や水に温熱を放出（放熱）しながら凝縮し、気液二相状態の中温高圧冷媒となる。凝縮器２における冷媒の変化は、ほぼ圧力一定のもとで行われる。このときの冷媒変化は、凝縮器の圧力損失を考慮すると、図７の状態ｂから状態ｃに示すやや傾いた水平に近い直線で表される。【００５４】
（熱交換動作）
凝縮器２から出た気液二相状態の中温高圧冷媒は、熱交換器７に流入し、バイパス配管５を流れる低温低圧冷媒と熱交換し（冷熱を受け取り）ながら、さらに凝縮し、さらに温度の低い中温高圧の液状冷媒になる。熱交換器７における中温高圧冷媒の変化は、ほぼ圧力一定のもとで行なわれる。この冷媒の変化は、熱交換器７の圧力損失を考慮すると、図７の状態ｃから状態ｄに示すやや傾いた水平に近い直線で表される。【００５５】
（バイパス配管における膨張動作）
熱交換器７から流出した液状の中温高圧冷媒の一部は、バイパス配管５に流入する。そして、バイパス膨張弁６において絞られ膨張（減圧）し、気液二相状態の低温低圧冷媒になる。バイパス膨張弁６における冷媒変化は、エンタルピ一定のもとで行われる。このときの冷媒変化は、図７の状態ｄから状態ｇに示す垂直線で表される。
バイパス膨張弁６を出た気液二相状態の低温低圧冷媒は、熱交換器７に流入し、凝縮器２から出た中温低圧冷媒の温熱を奪いながら（熱交換しながら）、より温度の高い蒸気状の中温低圧冷媒になる。
熱交換器７における低温低圧冷媒の変化は、ほぼ圧力一定のもとで行われる。このときの冷媒変化は、熱交換器７の圧力損失を考慮すると、図７の状態ｇから状態ａに示すやや傾いた水平に近い直線で表される。【００５６】
（主回路における膨張動作）
一方、熱交換器７を出た残りの高圧の液状冷媒は、膨張弁３において絞られ膨張（減圧）し、低温低圧の気液二相状態になる。膨張弁３における冷媒変化は、エンタルピ一定のもとで行われる。このときの冷媒変化は、図７の状態ｄから状態ｅに示す垂直線で表される。【００５７】
（気液分離動作）
膨張弁３を出た気液二相状態の低温低圧冷媒は、気液分離器８に流入し、蒸気と液とに分離される。このときの蒸気は飽和蒸気線上の状態ｈで表され、液は飽和液線上の状態ｆで表される。
分離された液状の低温低圧冷媒は蒸発器４に流入し、空気などに冷熱を奪われ（熱交換し）ながら蒸発して、ガス化し、蒸気状の中温低圧冷媒となる。蒸発器４における冷媒の変化は、ほぼ圧力一定のもとで行なわれる。このときの冷媒の変化は、蒸発器４の圧力損失を考慮すると、図７の状態ｆから状態ａに示すやや傾いた水平に近い直線で表される。【００５８】
一方、気液分離器８において分離された蒸気は、ガス流量制御弁９において絞られて膨張（減圧）し、低温低圧の蒸気状冷媒になる。ガス流量制御弁９における冷媒の変化は、エンタルピ一定のもとで行なわれる。このときの冷媒の変化は図７の状態ｈから状態ａに示すエンタルピ一定のもとで行なわれる。【００５９】
蒸発器４から出た蒸気状の中温低圧冷媒は、バイパス配管５を出た中温低圧冷媒およびガス配管１０から出た低温低圧冷媒と混合し、圧縮機１に流入し、圧縮される。
このように構成された冷凍サイクル装置においては、蒸発器に流入する冷媒蒸気の流量を低減することができ、蒸発器における冷媒の圧力損失を低減することができ、冷凍サイクル装置の効率が向上する。【００６０】
［実施の形態４］
（冷凍サイクル）
図８は本発明の実施形態４に係る冷凍サイクル装置の構成を説明する冷媒回路図である。図８において、冷凍サイクル装置３００は、冷凍サイクル装置１００（実施の形態１）が具備する主回路に設置された蒸発器入口圧力センサーＰ３４および蒸発器出口圧力センサーＰ４１と、バイパス配管５に設置された過熱度センサーＴ７１と、過熱度制御部１１ｂと、を撤去したものである。そして、前記を除くその他の構成については、冷凍サイクル装置１００と同じであるから、同じ符号を付し、説明を省略する。【００６１】
（バイパス配管）
すなわち、膨張弁３および蒸発器４をバイパスするバイパス配管５にバイパス膨張弁６が設置され、バイパス配管５の一部はバイパス膨張弁６の下流において熱交換器７を形成している。【００６２】
（制御要領）
次に、膨張弁３、バイパス膨張弁６の動作について説明する。
膨張弁３は、熱交換器７から膨張弁３に至る経路（中温高圧配管２３の一部）の熱交換器７の下流に設置された過冷却度センサーＴ７３によって検出された中温高圧冷媒の過冷却度が所定の値以上になるように制御する。すなわち、前記過冷却度が所定の値より小さいときは、膨張弁３の開度を絞り、反対に、大きいときは開度を開く。
このとき、膨張弁３に替えてバイパス膨張弁６を制御してもよい。たとえば、前記過冷却度が所定の値より小さいときは、バイパス膨張弁６の開度を開き、反対に、大きいときは開度を閉じる。
さらに、膨張弁３とバイパス膨張弁６との両方を制御してもよい。たとえば、前記過冷却度が所定の値より小さいときは、膨張弁３の開度を絞ると共にバイパス膨張弁６の開度を開き、反対に、大きいときは前者を開くと共に後者を閉じる。【００６３】
（運転動作）
冷凍サイクル装置３００の運転動作は、冷凍サイクル装置１００に同じであるから、説明を省略する（図３および図４参照）。
したがって、前記のように、冷凍サイクル装置３００に使用する低ＧＷＰ冷媒が可燃性または弱燃性の性質を有する場合、許容冷媒量が抑えられて凝縮器２の熱交換量（配管長さ等）が小さいことから、凝縮器２の出口の中温高圧冷媒が気液二相状態になることが予測される。しかしながら、前記構成の冷凍サイクル装置３００においては、凝縮器２の出口の中温高圧冷媒が気液二相状態になるような運転においても、膨張弁３およびバイパス膨張弁６の入口における中温高圧冷媒が、過冷却状態になるように制御することが可能であるから、安定した冷媒の流量制御（膨張）を行なうことができる。【００６４】
なお、冷凍サイクル装置３００では、蒸発器圧力差（ΔＰ）に基づいて過熱度の目標値を設定して行うような制御は実行しないが、蒸発器圧力差（ΔＰ）に替えて、圧縮機１の周波数と圧縮機１の吸入圧力などに応じて、過熱度の目標値設定するようにしてもよい。【００６５】
［その他の実施の形態］
本発明は実施の形態１〜４に説明した形態に限定されるものではなく、以下のようなバリエーションを含むものである。
（１）実施の形態１〜４では、可燃性冷媒が循環する形態について説明したが、本発明はこれに限定するものではなく、可燃性を理由とする規制に替えて、毒性や温室効果などの程度に応じて冷媒の充填量が規制されている他の低ＧＷＰ冷媒を利用してもよい。このとき、前記実施の形態１〜４に説明した効果と同様の効果が得られるものである。【００６６】
（２）実施の形態１〜４では、バイパス配管５の下流側またはガス配管１０の下流側をそれぞれ圧縮機１の上流側（中温低圧配管４１に同じ）に接続する形態を説明しているが、本発明はこれに限定するものではなく、圧縮機１内の圧縮過程の途中に接続して、バイパス配管５またはガス配管１０から流れてきた冷媒を混合して圧縮機１の内部に戻す、すなわち、中温低圧配管４１を流れてきた既にある程度圧縮されている状態の冷媒に、バイパス配管５またはガス配管１０から流れてきた冷媒を混合しても、同様の効果が得られるものである。【００６７】
（３）実施の形態１〜４では、膨張弁３を過冷却度センサーＴ７３によって検出された中温高圧冷媒の過冷却度が所定の値以上になるように制御するものであって、検出した値に応じて制御したが、開度の上限と下限とを設けてもよい。このような構成によれば、上記の効果に加えて、過剰な冷媒のバイパス配管５への流入や、絞り過ぎによる冷凍サイクルの動作不良を防止することができるとともに、圧縮機１への液バックを防止することができる。【００６８】
（４）充填する冷媒を変更する場合や延長配管の長さなどに応じて、過冷却度や圧力差の制御目標値を変更してもよい。たとえば、冷媒充填量が少なくなる場合や、延長配管が長くなる場合には、過冷却度の制御目標値を小さい値に設定する。反対に、冷媒充填量が多くなる場合や、延長配管が短くなる場合には、過冷却度の制御目標値を大きい値に設定してもよい。
（５）低圧側の冷媒のガス密度が異なる冷媒を充填した場合には、圧力差の制御目標値を変更してもよい。このように構成した冷凍サイクル装置によれば、異なる低ＧＷＰ冷媒を利用する場合や、延長配管の長さが異なる場合においても、実施の形態１〜３の効果と同様の効果が得られる。【００６９】
（６）実施の形態１〜３では、蒸発器４から流出した中温低圧冷媒が、圧縮機１に直接吸入されるように構成したが、圧縮機１への液バックを防止するための圧縮機１の上流（中温低圧配管４１）にアキュムレータを設けてもよい。
（７）実施形態１〜３では、冷媒中のごみを捕捉するストレーナ、冷媒中の水分を捕捉するドライヤ、圧縮機１から吐出される冷凍機油を分離し圧縮機１に戻す油分離器、循環配管等の接続工事のためのストップ弁（開閉弁）等の「冷媒回路部品」を設けていないが、これらの冷媒回路部品を設けて  冷凍サイクル装置１００、２００、３００の信頼性を確保するための補機を備えてもよい。【００７０】
（８）実施の形態１〜２では、特に、熱交換器７における冷媒の流れ方向について説明していないが、流れ方向を冷媒の種類に応じて切り替えるように構成してもよい。
図９および図１０は、本発明の実施形態１に係る冷凍サイクル装置の熱交換器７の流れ方向の長さと冷媒の温度との関係を説明する模式図であて、図９は対向流、図１０は並行流である。【００７１】
図９は、蒸発しながら冷媒の温度が上昇する冷媒における対向流形式の熱交換器の挙動であって、横軸は熱交換器７を構成する配管の長さ（冷媒の流れ方向の長さに同じ）であり、縦軸は冷媒の温度を模式的に示している。すなわち、高温側の冷媒は入口イから流入して、温熱を奪わて冷却され、やがて、出口ロから流出する。
一方、低温側の冷媒は入口ハから流入して、温熱を受け取りながら蒸発して温度が上昇し、やがて、出口ニから流出する。したがって、昇温後期段階の低温側の冷媒は降温初期段階の高温側の冷媒と熱交換し、昇温初期段階の低温側の冷媒は降温後期段階の高温側の冷媒と熱交換することになる。
よって、熱交換器７を構成する配管の全域（熱交換の全工程に同じ）において、高温（高圧）側の冷媒と低温（低圧）側の冷媒との温度差を少なくする（ほぼ一定にする）ことができ、効率よく熱交換することが可能になる。なお、図９では平行する２本の直線が示されているが、当該直線は平行でない場合、あるいは、円弧状である場合がある。なお、冷凍サイクル装置２００、３００において同じであるから、説明を省略する。【００７２】
図１０は、本発明の実施形態１に係る冷凍サイクル装置のバイパス配管５のバイパス膨張弁６の下流に冷媒を膨張させるキャピラリーチューブが配置され、熱交換器７が当該キャピラリーチューブと中温高圧配管２３の一部とによって構成された場合の、挙動を示している。すなわち、バイパス配管５において、バイパス膨張弁６から流出した低温低圧冷媒は、入口ホから前記キャピラリーチューブ（熱交換器７に同じ）に流入し、除々に温度および圧力を下げながら、やがて出口から流出する。
一方、中温高圧配管２３では、中温高圧冷媒が入口イから流入して出口ロから流出する。この間、中温高圧冷媒は低温低圧冷媒から冷熱を受け取るから、除々に温度を下げることになる。
よって、熱交換器７を構成する配管の全域（熱交換の全工程に同じ）において、高温（高圧）側の冷媒と低温（低圧）側の冷媒との温度差を少なくする（ほぼ一定にする）ことができ、効率よく熱交換することが可能になる。なお、図９では平行する２本の直線が示されているが、当該直線は平行でない場合、あるいは、円弧状である場合がある。なお、冷凍サイクル装置２００、３００において同じであるから、説明を省略する。【００７３】
（９）実施の形態１〜３では、熱交換器７内における冷媒の分岐について説明していないが、低温低圧冷媒を通すバイパス配管５の一部を複数の伝熱管に分岐して、実際に冷媒が流れる伝熱管（伝熱管の数に同じ）を変更する分岐数可変部を有する熱交換器にしてもよい。図１１は、本発明の実施形態１に係る冷凍サイクル装置の熱交換器内における冷媒の流路の一例を示す冷媒回路図である。【００７４】
図１１の（ａ）において、中温高圧配管２３は、蛇行しながら破線の経路を矢印方向（図中、水平方向の流れを織り交ぜながら概ね上から下の方向）に流れている。
一方、低温低圧冷媒が流れるバイパス配管５のバイパス膨張弁６の下流側は分岐している。すなわち、バイパス配管５は熱交換器７の入口において、伝熱管５ａと伝熱管５ｄに分岐している。伝熱管５ｄには開閉弁５ｅが設置され、開閉弁５ｅの下流で伝熱管５ｂと伝熱管５ｃとに分岐している。また、伝熱管５ａと伝熱管５ｂとは熱交換器７の出口において、開閉弁５ｆが設置された伝熱管５ｇに統合されている。さらに、伝熱管５ｇは開閉弁５ｆの下流において伝熱管５ｈに統合され、かかる伝熱管５ｈがバイパス配管５の熱交換器７から下流の部分を形成している。【００７５】
したがって、低温低圧冷媒の圧力損失が大きい場合には、開閉弁５ｅと開閉弁５ｆとを開き、低温低圧冷媒が、伝熱管５ａ、伝熱管５ｂおよび伝熱管５ｃの３つの経路に分岐され、該３径路を並行して流すようにする（図１１の（ａ））。
一方、低温低圧冷媒の圧力損失が小さい場合には、開閉弁５ｅと開閉弁５ｆとを閉じ、低温低圧冷媒が、伝熱管５ａ、伝熱管５ｂおよび伝熱管５ｃを順番に１つの経路を流れるようにする（図１１の（ｂ））。
このように構成した冷凍サイクル装置によれば、熱交換器７における低温低圧冷媒の圧力損失の増大を防止できるとともに、流量が少なく圧力損失が小さい場合には、分岐数を減らして流速をあげ熱交換効率を向上させることができる。
なお、以上は３つの経路に分岐される場合を示しているが、これに限定するものではない。また、伝熱管５ａ、５ｂ、５ｃを流れる冷媒の方向と中温高圧配管２３を流れる冷媒の方向とは図示するものに限定するものではなく、適宜、対向流あるいは並行流になるようにすればよい。なお、冷凍サイクル装置２００、３００において同じであるから、説明を省略する。【００７６】
（１０）次に、実施の形態１〜４の蒸発器４における伝熱と圧力損失との関係について説明する。
図１２は、本発明の実施形態１に係る冷凍サイクル装置の蒸発器へ流入する冷媒の流量と冷凍サイクル装置の成績係数との関係を示すグラフである。なお、成績係数は、冷凍サイクル装置１００への電気入力に対する冷凍能力の比を示す。
蒸発器４の伝熱性能と蒸発器４の圧力損失は、蒸発器４へ流入する冷媒流量と比例関係であり、冷媒流量が増加するほど、伝熱性能は高く、圧力損失は大きくなる。図１２において２つの実線は、冷凍サイクル装置１００の冷凍能力が１００％の場合の成績係数と冷媒流量の関係と、冷凍サイクル装置１００の冷凍能力が５０％の場合の成績係数と冷媒流量の関係と、をそれぞれ示している。冷媒流量が大きくなるほど蒸発器の伝熱性能が高くなり、性能が向上するが、圧力損失も高くなり、結果として、各冷凍能力に対応した最適な動作点（圧力損失）が存在する（図中黒丸にて最適動作点を示している）。なお、冷凍サイクル装置２００、３００において同じであるから、説明を省略する。【００７７】
なお、上述の実施形態では、過冷却度センサーとして圧力センサーと温度センサーとを組み合わせて使用したが、過冷却度センサーは過冷却度を直接検知又は間接的に推定できるものであれば、どのようなものを用いても良い。例えば、使用環境が比較的安定している場合に、圧力又は温度のいずれか一方を測定し、他方はその使用環境での推定値を使用するようにしても良い。また、圧縮機回転数、吐出圧力や吐出温度の検出値、凝縮温度を過冷却度の計算に使用したり、圧縮機の吸入圧力、蒸発器出口圧力若しくは蒸発温度の検出値等を過熱度の計算に使用することも可能である。
また、過冷却度制御は、温度センサーや圧力センサーの検出値等の冷媒状態、又は冷凍サイクルの運転状態に基づき結果として過冷却度が適切な範囲に制御さればよいのであって、過冷却度は必ずしも計算する必要はない。過熱度制御についても同様に過熱度を制御できる限りにおいて、この値を計算することは必須ではない。
過冷却を行なう熱交換器は、冷媒を過冷却にできる手段であればバイパス配管以外を用いてもよい。例えば、冷凍サイクル内の他の冷温部分と熱交換する方法、別の冷凍サイクルによるエコノマイザーのような付加装置を使用しても構わない。
【産業上の利用可能性】
【００７８】
この発明に係る冷凍サイクル装置は、冷媒充填量に制約があるような場合であっても、安定した運転をすることができるから、様々な低ＧＭＰ冷媒を使用する各種冷凍サイクル装置として広く利用することができる。
【図１】
2009150761.tif 000003
【図２】
2009150761.tif 000004
【図３】
2009150761.tif 000005
【図４】
2009150761.tif 000006
【図５】
2009150761.tif 000007
【図６】
2009150761.tif 000008
【図７】
2009150761.tif 000009
【図８】
2009150761.tif 000010
【図９】
2009150761.tif 000011
【図１０】
2009150761.tif 000012
【図１１】
2009150761.tif 000013
【図１２】
2009150761.tif 000014
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
可燃性冷媒を圧縮する圧縮機と、この圧縮機において圧縮された可燃性冷媒を凝縮させる凝縮器と、この凝縮器から吐出された可燃性冷媒を過冷却する熱交換器と、この熱交換器により過冷却された可燃性冷媒を膨張させる膨張弁と、この膨張弁において膨張した可燃性冷媒を蒸発させる蒸発器と、前記凝縮器と前記膨張弁との間の可燃性冷媒温度若しくは可燃性冷媒圧力に応じて前記熱交換器の熱交換量を制御する制御手段と、を備えた冷凍サイクル装置。
【請求項２】
可燃性冷媒の燃焼下限界により定められる被空調空間の許容冷媒量以下の可燃性冷媒が封入されていることを特徴とする請求項１記載の冷凍サイクル装置。
【請求項３】
可燃性冷媒の燃焼下限界により定められる冷凍サイクル装置の被冷凍空間の許容冷媒量以下の可燃性冷媒が封入されていることを特徴とする請求項１記載の冷凍サイクル装置。
【請求項４】
前記圧縮機の上流配管と前記熱交換器の下流配管とを接続するバイパス配管と、このバイパス配管に設けられ、前記下流配管を流れる可燃性冷媒の主流から分岐した副流を膨張させるバイパス膨張弁と、
前記膨張弁の入口側における可燃性冷媒の主流の過冷却度を検出する過冷却度検出部を備え、
前記熱交換器は前記バイパス配管のバイパス膨張弁下流側に熱的に接続され、
前記制御手段は、前記過冷却度検出部の検出結果に基づき、前記主流の過冷却度が所定の値以上になるように、前記膨張弁または前記バイパス膨張弁の少なくとも一方の開度を制御することを特徴とする請求項１乃至３のいずれか１項に記載の冷凍サイクル装置。
【請求項５】
前記圧縮機の上流配管と前記熱交換器の下流配管とを接続するバイパス配管と、このバイパス配管に設けられ、前記下流配管を流れる可燃性冷媒の主流から分岐した副流を膨張させるバイパス膨張弁と、を備え、
前記熱交換器は前記バイパス配管のバイパス膨張弁下流側に熱的に接続され、
前記制御手段は、前記主流に対して過冷却度制御を行い、前記副流に対して過熱度制御を行なうことを特徴とする請求項１乃至３のいずれか１項に記載の冷凍サイクル装置。
【請求項６】
前記制御手段は、前記主流の温度に基づき前記膨張弁の開度を制御し、前記副流の温度に基づき前記バイパス膨張弁の開度を制御することを特徴とする請求項５記載の冷凍サイクル装置。
【請求項７】
前記制御手段は、前記主流の過冷却度に基づき前記膨張弁の開度を制御し、前記副流の加熱度に基づき前記バイパス膨張弁の開度を制御することを特徴とする請求項５記載の冷凍サイクル装置。
【請求項８】
前記制御手段は、前記バイパス配管に流れる可燃性冷媒の流量を増大させ、前記熱交換器出口と前記膨張弁との間の可燃性冷媒の過冷却度を上昇させることを特徴とする請求項５記載の冷凍サイクル装置。
【請求項９】
前記蒸発器の上流側配管内の可燃性冷媒圧力を検知する蒸発器上流圧力センサーと、前記蒸発器の下流側配管内の可燃性冷媒圧力を検知する蒸発器下流圧力センサーと、前記バイパス配管内の前記熱交換器の下流における可燃性冷媒の過熱度を検知する過熱度検知部とを備え、
前記制御手段は、前記蒸発器上流圧力センサーの検知した圧力値と前記蒸発器下流圧力センサーの検知した圧力値とに応じて、前記バイパス配管内の可燃性冷媒の過熱度の制御目標値を設定する過熱度制御部を備え、前記過熱度検知部の検知した過熱度が前記過熱度制御部の設定した制御目標値になるように、前記バイパス流量制御弁を制御することを特徴とする請求項４記載の冷凍サイクル装置。
【請求項１０】
可燃性冷媒の種類または延長配管の長さの一方または両方に応じて、前記膨張弁の入口における可燃性冷媒の過冷却度の制御目標値を変更する過冷却度制御部を有することを特徴とする請求項１記載の冷凍サイクル装置。
【請求項１１】
前記制御手段は、前記バイパス膨張弁が、前記バイパス配管の入口における可燃性冷媒の圧力と前記バイパス配管の出口における可燃性冷媒の圧力との圧力差、または前記蒸発器の入口における可燃性冷媒の圧力と前記蒸発器の出口における可燃性冷媒の圧力との圧力差の一方または両方が大きいほど、
前記バイパス配管を流れる可燃性冷媒の流量を増加させるように前記バイパス配管を流れる可燃性冷媒の流量を制御することを特徴とする請求項４記載の冷凍サイクル装置。
【請求項１２】
前記熱交換器における前記副流の流れ方向と前記主流の流れ方向とが対向していることを特徴とする請求項４記載の冷凍サイクル装置。
【請求項１３】
前記バイパス配管の前記バイパス膨張弁の下流に可燃性冷媒を膨張させるキャピラリーチューブが配置され、前記熱交換器が前記キャピラリーチューブと前記凝縮器及び前記膨張弁を接続する接続配管の一部とによって構成され、
前記キャピラリーチューブを流れる可燃性冷媒の流れ方向と前記接続配管を流れる可燃性冷媒の流れ方向とが並行していることを特徴とする請求項４記載の冷凍サイクル装置。
【請求項１４】
前記バイパス配管の一部が、前記熱交換器の入口において複数の伝熱管に分岐され、
前記熱交換器の出口において前記複数の伝熱管が統合され、
前記複数の伝熱管のうち可燃性冷媒が通過する伝熱管を変更する分岐数可変部を有することを特徴とする請求項４記載の冷凍サイクル装置。
【請求項１５】
前記膨張弁と前記蒸発器との間に設置された気液分離器と、
該気液分離器によって分離された蒸気状の可燃性冷媒を前記圧縮機に流入させるガス配管と、
該ガス配管に設置され、可燃性冷媒の流量を制御するガス流量制御弁と、
を有することを特徴とする請求項４記載の冷凍サイクル装置。
【請求項１６】
前記ガス配管の前記ガス流量制御弁の上流における可燃性冷媒の圧力を検知するガス流量制御弁上流圧力センサーと、前記ガス配管の前記ガス流量制御弁の下流における可燃性冷媒の圧力を検知するガス流量制御弁下流圧力センサーと、を備え、
前記ガス流量制御弁上流圧力センサーの検知した圧力値と前記ガス流量制御弁下流圧力センサーの検知した圧力値とに応じて、前記ガス流量制御弁が制御されることを特徴とする請求項１５記載の冷凍サイクル装置。
【請求項１７】
可燃性冷媒又は有毒性冷媒を冷媒として用い、被冷却空間へ冷媒配管を露出させるとともに、前記被冷却空間に冷媒が漏洩し拡散したときの冷媒濃度が可燃濃度未満又は人体への有毒許容濃度以下となるように、冷媒の充填量が制限された冷凍サイクルの制御方法であって、
凝縮器で凝縮された冷媒の状態を検出する検出ステップと、
この検出ステップで検出された冷媒の状態に基づき、前記冷凍サイクル内の冷媒充填量に依存する凝縮圧力に起因して前記凝縮器出口側で気液二相状態となった冷媒を過冷却し、前記膨張弁手前での圧力脈動を抑制するステップと、
を備えた冷凍サイクルの制御方法。
【国際調査報告】
2009150761.tif 000015
2009150761.tif 000016
2009150761.tif 000017
2009150761.tif 000018